(57)【要約】      （修正有）【課題】試験片に対する水の供給量を安定させることができ、湿潤部分の形状が歪にならない湿潤用器具及び湿潤紙力試験方法を提供する。【解決手段】ピペットの先端に装着された状態で、ピペットを操作することで先端開口から液体を吸引及び吐出し、湿潤時の引張強さが測定される薄葉紙の試験片に対して液体を供給する湿潤用器具１であって、液体を貯留可能な貯留部５０と、貯留部５０に接続されており、ピペットの先端を挿入可能な挿入口１４と、貯留部５０に接続されており、形状が細長い線状とされている先端開口７０と、を備えている、ことを特徴とする湿潤用器具１とする。【選択図】図２
2010127867.tif 000002
【特許請求の範囲】
【請求項１】
ピペットの先端に装着された状態でピペットを操作することによって先端開口から液体を吸引及び吐出可能とされており、湿潤時の引張強さが測定される薄葉紙の試験片に対して液体を供給する湿潤用器具であって、
液体を貯留可能な貯留部と、
貯留部に接続されており、ピペットの先端を挿入可能な挿入口と、
貯留部に接続されており、形状が細長い線状とされている先端開口と、を備えている、ことを特徴とする湿潤用器具。
【請求項２】
貯留部における先端開口と接続されている部分及びその近傍が、平板状の空間となっている、請求項１に記載の湿潤用器具。
【請求項３】
透水性を有するフェルトが、先端開口を塞ぐようにして設置されている、請求項１或いは請求項２に記載の湿潤用器具。
【請求項４】
貯留部における先端開口近傍には、複数の凹型の溝が、フェルトに接するよう配置されて切られている、請求項３に記載の湿潤用器具。
【請求項５】
請求項１乃至請求項４のいずれか１項に記載の湿潤用器具が装着されたピペットを用いて薄葉紙の試験片の一部分を湿潤させて、薄葉紙の湿潤時における引張強さを測定する、ことを特徴とする湿潤紙力試験方法。
【発明の詳細な説明】
【技術分野】
【０００１】
本発明は、ピペットの先端に装着されて使用される湿潤用器具、及びその湿潤用器具が装着されたピペットを用いて薄葉紙の一部分を湿潤させて、薄葉紙の湿潤時における引張強さを測定する湿潤紙力試験方法に関するものである。
【背景技術】
【０００２】
一般的に、使用時において湿潤される状況が想定される薄葉紙の引張強さを測定する場合、乾燥時の引張強さと湿潤時の引張強さとが測定される。湿潤時の引張強さを測定する試験では、短冊状にカットされた薄葉紙の試験片が用いられ、この試験片の長手方向中央部分において、湿潤部分が短手方向を横断するようにして一定幅湿潤される。
【０００３】
薄葉紙の試験片を湿潤させるべくして水を供給する方法としては、浸漬用の装置を用いて試験片を水に直截浸す、水に浸した筆で試験片を撫でる、などの方法があった。
その中でも、水に浸した筆で試験片を撫でる方法は、特殊な装置が必要無く手軽に実施できるという利点を有している。
【特許文献１】特開２００４−０６６５７３号公報
【発明の開示】
【発明が解決しようとする課題】
【０００４】
しかしながら、水に浸した筆で試験片を撫でる方法では、表１に係る試験結果からも判るように、試験片に対する水の供給量が、試験員によってばらつきが生じてしまい、引張試験の結果に影響を及ぼしてしまうという問題があった。
【０００５】
〔表１に係る試験〕
表１に示される試験は、次のようにして行った。
ティシュー（大王製紙：「エリエールＣｕｔｅ」）とペーパータオル（大王製紙：「エルヴェールエコドライ」）とを、長手方向長さ１５ｃｍ、短手方向長さ２．５ｃｍの矩形状となるよう裁断することによって試験片を形成した。なお、試験片は、短手方向に対してティシュー及びペーパータオルの縦方向及び横方向がそれぞれ沿うように形成した。
このように形成された試験片を、水に１秒間浸した筆（あかしや(紅葉ＡＳ−５０)細筆８号）で試験片の短手方向に沿って撫で、撫でる前と後とでの試験片の重量を測定し、その差から試験片に供給された水の量を測定した。試験は５人の試験員（Ａ〜Ｅ）によって３回ずつ行い、試験員ごとの測定結果の平均値を算出した。なお、表１中の数値の単位は、全てミリリットル（ｍｌ）となっている。
【０００６】
【表１】
2010127867.tif 000003
【０００７】
また、湿潤された筆の形状は安定しないため、湿潤部分の形状が歪になってしまうという問題もあった。
【０００８】
そこで、本発明の主たる課題は、試験員に関わらず、試験片に対する水の供給量を安定させることができ、湿潤部分の形状が歪にならない湿潤用器具及び湿潤紙力試験方法を提供することにある。
【課題を解決するための手段】
【０００９】
以下に、上記課題を解決するための手段とそれらの作用効果を示す。
〔請求項１に記載の発明〕
本請求項に記載の発明は、
ピペットの先端に装着された状態でピペットを操作することによって先端開口から液体を吸引及び吐出可能とされており、湿潤時の引張強さが測定される薄葉紙の試験片に対して液体を供給する湿潤用器具であって、
液体を貯留可能な貯留部と、
貯留部に接続されており、ピペットの先端を挿入可能な挿入口と、
貯留部に接続されており、形状が細長い線状とされている先端開口と、を備えている、ことを特徴とする湿潤用器具である。
【００１０】
〔作用効果〕
本請求項に係る発明である湿潤用器具では、貯留部には挿入口と先端開口とが接続されており、結果的に、挿入口と先端開口とは貯留部を介して接続されている。そのため、挿入口に対してピペットの先端を挿入し、ピペットを操作することによって、先端開口から貯留部に液体を吸引する、又は、貯留部内に貯留された液体を先端開口から吐出するようになっている。このように、ピペットを用いて湿潤させるため、液体の供給量を安定させることが可能となる。
【００１１】
また、先端開口の形状が、細長い線状とされているため、貯留部内部に貯留された液体は、先端開口全体から染み出すようにして吐出される。そのため、液体の供給形態を安定させることができ、その結果、湿潤部分の形状が歪になることがない。
また、先端開口の長手方向長さを、薄葉紙の試験片の短手方向長さと同一に設計することで、先端開口を短手方向に沿うように薄葉紙の試験片に対して押しつけながら液体を供給するだけで、試験片の短手方向を横断するようにして一定幅湿潤することができるようになる。
【００１２】
さらに、本請求項に係る発明である湿潤用器具によって薄葉紙の試験片を湿潤を行うと、ＪＩＳ  Ｐ  ８１３５に規定される浸せき用附属装置によって薄葉紙の試験片を湿潤した場合と引張強さについて同様の数値結果を得ることができる。
【００１３】
〔請求項２に記載の発明〕
本請求項に記載の発明は、貯留部における先端開口と接続されている部分及びその近傍が、平板状の空間となっている、請求項１に記載の湿潤用器具である。
【００１４】
〔作用効果〕
本請求項に係る発明では、貯留部における先端開口と接続されている部分及びその近傍が、平板状の空間となっているため、ピペットによって貯留部内部の液体が押し出される際に、平板状の空間に圧が掛かりやすくなる。そのため、貯留部内部に貯留された液体を、先端開口から確実に押し出すことが可能となる。
【００１５】
〔請求項３に記載の発明〕
本請求項に記載の発明は、透水性を有するフェルトが、先端開口を塞ぐようにして設置されている、請求項１或いは請求項２に記載の湿潤用器具である。
【００１６】
〔作用効果〕
本請求項に係る発明の様に、透水性を有するフェルトが、先端開口を塞ぐようにして設置されていることによって、貯留部内部に貯留された液体は、フェルトを通じて滲み出るようになるため、先端開口全体から均一に液体を吐出することができるようになる。
【００１７】
本請求項に記載の発明は、貯留部における先端開口近傍には、凹型の溝が、フェルトに接するよう配置されて切られている、請求項３に記載の湿潤用器具である。
【００１８】
〔作用効果〕
本請求項に係る発明の様に、貯留部における先端開口近傍には、複数の凹型の溝が、フェルトに接するよう配置されて切られていることによって、フェルトに遊びを持たせることができるようになるため、フェルトに対して均一に液体を供給することができるようになり、その結果、より確実に、先端開口全体から均一に液体を吐出することができるようになる。
【００１９】
〔請求項５に記載の発明〕
本請求項に記載の発明は、請求項１乃至請求項４のいずれか１項に記載の湿潤用器具が装着されたピペットを用いて薄葉紙の試験片の一部分を湿潤させて、薄葉紙の湿潤時における引張強さを測定する、ことを特徴とする湿潤紙力試験方法である。
【００２０】
〔作用効果〕
本請求項に係る湿潤紙力試験方法では、請求項１乃至請求項４に係る湿潤用器具を用いているため、請求項１乃至請求項４に係る発明と同様の作用を奏する。
【発明の効果】
【００２１】
以上に示したように、本発明によれば、試験員に関わらず、試験片に対する水の供給量を安定させることができ、湿潤部分の形状が歪にならない湿潤用器具及び湿潤紙力試験方法を提供することが可能となる。
【発明を実施するための最良の形態】
【００２２】
以下に、本発明に係る湿潤用器具の第１実施形態と、本実施形態に係る湿潤用器具を用いて薄葉紙の湿潤時における引張強さを測定する湿潤紙力試験方法の実施形態とを、添付図面を参照しつつ説明する。
図１乃至図３に示すように、本実施形態に係る湿潤用器具１は、本体部１０と、本体部１０に取り付けられた底面部３０とから主に構成されている。
【００２３】
本体部１０は、硬質且つ透明なアクリル材から形成されており、内部が透けて見えるようになっている。図１に示すように、本体部１０の形状は、角形状とされており、その底面１１から底面１１と対向する上面１２に向かって窄むような形状となっている。
【００２４】
図３に示すように、底面１１の一部は平板な三角形状に削り取られていることによって窪み１３が形成されている。この窪み１３は、その一端縁が底面１１の一端縁と接し、その他の端縁は底面１１の端縁と接さないよう配置されている。
【００２５】
図１乃至図３、及び図５に示すように、本体部１０には、本体部１０の上面１２に開口する挿入口１４が設けられている。この挿入口１４は、図６に示すように、ピペット１００の先端を挿入可能となっている。挿入口１４の先端側は、窪み１３における底面１１の端縁と接していない頂点及びその近傍に接続されていて、この結果、挿入口１４と後述する貯留部５０とは連通している。挿入口１４の形状は、ピペット１００の先端と略同形とされており、挿入口１４にピペット１００の先端を挿入した際に、ピペット１００によって挿入口１４の上面１２側が隙間無く塞がるようになっている。
【００２６】
図３乃至図５に示すように、本体部１０の底面１１には、底面部３０が複数のネジ４０によって固定されている。底面部３０は、平板状とされており、底面部３０の上面３２には、その一部が窪み１３よりも薄い平板な三角形状に突出することで、突出部３３が形成されている。図４に示すように、この突出部３３における後述する先端開口７０側には、深さ０．０５〜０．１ｍｍ、幅０．０５〜０．１ｍｍ、長さ０．１〜０．３ｍｍとされた２０〜６０個の凹型の溝３５が、先端開口７０に沿ってそれぞれが等間隔に離間するよう間欠的に設けられている。
【００２７】
以上のように構成された本体部１０及び底面部３０は、図１及び図３に示すように、本体部１０の窪み１３と底面部３０の突出部３３とが重なるようにして合わせられ、前述したようにネジ４０によって相互に固定される。このとき、図１乃至図３に示すように、窪み１３と突出部３３とに囲まれる平板状の空間によって貯留部５０が形成される。貯留部５０の厚みは、０．５〜１．０ｍｍ程度とされている。
【００２８】
貯留部５０は、図２に示すように、一端縁側が外側に向かって開口して先端開口７０を形成しており、この先端開口７０は、形状が細長い線状となっていて、貯留部５０の断面と同形とされている。また、図１乃至図３、及び図５に示すように、貯留部５０の先端開口７０には不織布から成るフェルト６０が、本体部１０と突出部３３とに挟まれるようにして設置されており、先端開口７０はフェルト６０によって塞がれている。フェルト６０は、貯留部５０の先端開口７０から０．５〜１．０ｍｍ程度せり出すようにして設置されている。フェルト６０の厚みは、貯留部５０よりも若干厚くなっていて、本体部１０と突出部３３とに挟まれてズレ落ちないようになっている。
【００２９】
このフェルト６０として用いられる不織布は、透水性を有するものであれば特に限定されないが、例を挙げるなら、コットン、天然繊維、ポリプロピレン、ポリエチレン等の原料繊維をエアスルー、ヒートロールによるサーマルボンド、ニードルパンチ、スパンレース、エアレイド等の製法で製造されたものを適用することができる。この不織布の坪量としては、３０ｇ／ｍ2以上１００ｇ／ｍ2以下とするのが好ましい。更に好ましくは４０ｇ／ｍ2以上８０ｇ／ｍ2以下である。坪量が小さすぎると、強度不足となるとともに吸水性が低下する。逆に、坪量が大きすぎると水の透過を阻害してしまう。
【００３０】
次に、本実施の形態に係る湿潤用器具１の使用方法を説明する。
以上のように構成された湿潤用器具１は、図６に示すように、挿入口１４にピペット１００の先端が挿入された状態で水に浸され、ピペット１００を操作することによって、挿入口１４と連通する貯留部５０に圧が掛かり、貯留部５０の先端開口７０からフェルト６０を通過して貯留部５０内に水が供給される。この供給によって貯留部５０内に貯留された水は、ピペット１００を再度操作することによって、フェルト６０を通過して貯留部５０の先端開口７０から排出される。
【００３１】
次に、本実施の形態に係る湿潤用器具１の作用効果を説明する。
本実施の形態に係る湿潤用器具１では、貯留部５０には挿入口１４と先端開口７０とが接続されており、結果的に、挿入口１４と先端開口７０とは貯留部５０を介して接続されている。そのため、挿入口１４に対してピペット１００の先端を挿入し、ピペット１００を操作することによって、先端開口７０から貯留部５０に水を吸引する、又は、貯留部５０内に貯留された水を先端開口７０から吐出するようになっている。このように、ピペット１００を用いるようになっているため、水の供給量を安定させることが可能となる。
【００３２】
また、先端開口７０の形状が、細長い線状とされているため、貯留部５０内部に貯留された水は、先端開口７０全体から染み出すようにして吐出される。そのため、水の供給形態を安定させることができ、その結果、湿潤部分の形状が歪になることがない。
また、先端開口７０の長手方向長さを、薄葉紙の試験片１１０の短手方向長さと同一に設計することで、先端開口７０を短手方向に沿うように薄葉紙の試験片１１０に対して押しつけながら水を供給するだけで、試験片の短手方向を横断するようにして一定幅湿潤することができるようになる。
【００３３】
本実施の形態に係る湿潤用器具１では、貯留部５０における先端開口７０と接続されている部分及びその近傍が、平板状の空間となっているため、ピペット１００によって貯留部５０内部の水が押し出される際に、平板状の空間に圧が掛かりやすくなる。そのため、貯留部５０内部に貯留された水を、先端開口７０から確実に押し出すことが可能となる。
【００３４】
本実施の形態に係る湿潤用器具１の様に、透水性を有するフェルト６０が、先端開口７０を塞ぐようにして設置されていることによって、貯留部５０内部に貯留された水は、フェルト６０を通じて滲み出るようになるため、先端開口７０全体から均一に液体を吐出することができるようになる。
【００３５】
本実施の形態に係る湿潤用器具１の様に、貯留部５０における先端開口７０近傍には、複数の凹型の溝３５が、フェルト６０に接するよう配置されて切られていることによって、フェルト６０に遊びを持たせることができるようになるため、フェルト６０に対して均一に水を供給することができるようになり、その結果、より確実に、先端開口７０全体から均一に水を吐出することができるようになる。
【００３６】
薄葉紙の湿潤時における引張強さを測定する湿潤紙力試験方法では、本実施形態に係る湿潤用器具１は、次のようにして使用される。
まず、貯留部５０の先端開口７０の長手方向長さと短手方向長さがほぼ同じ長さである薄葉紙の試験片１１０を用意する。次に、ピペット１００を操作して貯留部５０内に水を貯留し、貯留部５０の先端開口７０を試験片１１０の幅方向に沿うようにして試験片１１０に当て、ピペット１００を操作して、試験片１１０に貯留部５０内の水を供給する。
【００３７】
さらに、本実施の形態に係る湿潤用器具１によって薄葉紙の試験片を湿潤を行うと、ＪＩＳ  Ｐ  ８１３５に規定される浸せき用附属装置によって薄葉紙の試験片を湿潤した場合と引張強さについて同様の数値結果を得ることができる。
【００３８】
〔他の実施形態〕
次に、本発明に係る湿潤用器具の第２実施形態について、図７を参照しつつ説明する。なお、第１実施形態と共通する部分に関しては、同一の符号を付し説明を省略する。
本実施形態に係る湿潤用器具２は、断面がＬ字状の本体部１０と、本体部１０の上部に取り付けられた円筒状の挿入部１５とから構成されている。
【００３９】
本体部１０の内部は、本体部１０の外観の形状を縮小した形状を成す空間である貯留部（図示しない）が形成されており、その両端は開口しており、一方の開口は、外側に向かって開口する先端開口７０とされている。この先端開口７０は、形状が細長い線状となっており、厚さが０．２ｍｍ程度とされている。先端開口７０には、第１実施形態に係る湿潤用器具１とは異なり、先端開口７０にはフェルトなどの部材は取り付けられておらず、先端開口７０は湿潤用器具２の外側に対して素の状態となっている。
この一方、貯留部の他方の開口は、挿入部１５が接続されており、挿入口１４が形成されている。
【００４０】
本実施形態に係る湿潤用器具２は、第１実施形態に係る湿潤用器具１と同様の方法で使用され、貯留部が本体部１０の外観の形状を縮小した形状を成す空間とされており、且つ、本体部１０に直截挿入口１４が設けられているため、第１実施形態に係る湿潤用器具１よりも貯留部内部に貯留可能な液体の量が多い。そのため、より多くの液体を供給する必要のある試験に好適に用いることができる。
【実施例】
【００４１】
次に、第１実施形態に係る湿潤用器具１を用いて行った湿潤紙力試験方法の実施例を比較例と共に示す。
〔表２に係る試験〕
試験方法は、次のようにして実施した。
実施例においては、第１実施形態に係る湿潤用器具１を用いて試験片（ペーパータオルから成る試験片に対しては３０μｌ、ティシューから成る試験片に対しては１５μｌ）に水を供給した後、ＪＩＳ  Ｐ  ８１１３に準じて引張強さ（ｋＮ／ｍ）を縦及び横とそれぞれ計測し、比較例においては、水に１秒間浸した筆（あかしや(紅葉ＡＳ−５０)細筆８号）で試験片の短手方向に沿って試験片を撫でた後に、ＪＩＳ  Ｐ  ８１１３に準じて引張強さ（ｋＮ／ｍ）を計測した。
試験片は、実施例及び比較例共に、ティシュー（大王製紙：「エリエールＣｕｔｅ」）とペーパータオル（大王製紙：「エルヴェールエコドライ」）とを、長手方向長さ１５ｃｍ、短手方向長さ２．５ｃｍの矩形状となるよう裁断することによって形成した。なお、試験片は、短手方向に対してティシュー及びペーパータオルの縦方向及び横方向がそれぞれ沿うように形成した。
引張強さについては、ティシュー及びペーパータオル共に、縦方向及び横方向の両方を計測した。また、筆を用いての試験は７人の試験員（Ａ〜Ｇ）によって、湿潤用器具１を用いての試験は５人の試験員（Ａ〜Ｅ）によって行った。
本実施例で用いた湿潤用器具１では、貯留部５０の厚みが０．５ｍｍ、先端開口７０の長さが２５ｍｍ、溝の深さ及び幅が０．１ｍｍ、溝の長さが０．２ｍｍ、溝の個数が５０個とされ、フェルト６０として、ポリプロピレンから成る原料繊維を用いてサーマルボンドで製造されたものを適用した。
なお、表２中には、縦方向の引張強さと横方向の引張強さとの最大値、最小値、平均値、標準偏差をそれぞれ記した。
【００４２】
【表２】
2010127867.tif 000004
【００４３】
以上の試験結果から明らかなように、本発明に係る湿潤用器具によれば、筆と比較して、試験員に関わらず湿潤時の引張強さの計測結果が大きく異なってしまうことがない。
【産業上の利用可能性】
【００４４】
本発明は、ピペットの先端に装着されて使用される湿潤用器具、及びその湿潤用器具が装着されたピペットを用いて薄葉紙の一部分を湿潤させて、薄葉紙の湿潤時における引張強さを測定する湿潤紙力試験方法に適用可能である。
【図面の簡単な説明】
【００４５】
【図１】本発明に係る湿潤用器具の第１実施形態を示す図である。
【図２】本発明に係る湿潤用器具の第１実施形態のフェルトを省略した状態を示す図である。
【図３】本発明に係る湿潤用器具の第１実施形態の分解状態を示す図である。
【図４】本発明に係る湿潤用器具の第１実施形態の底面部と、その一部を拡大した状態とを示す図である。
【図５】本発明に係る湿潤用器具の第１実施形態を上側から見た状態を示す図である。
【図６】本発明に係る湿潤用器具の第１実施形態の使用状態を示す図である。
【図７】本発明に係る湿潤用器具の第２実施形態を示す図である。
【符号の説明】
【００４６】
１        湿潤用器具
１４      挿入口
３５      溝
５０      貯留部
６０      フェルト
７０      先端開口
１００    ピペット
【図１】
2010127867.tif 000005
【図２】
2010127867.tif 000006
【図３】
2010127867.tif 000007
【図４】
2010127867.tif 000008
【図５】
2010127867.tif 000009
【図６】
2010127867.tif 000010
【図７】
2010127867.tif 000011